(57)【要約】【課題】     電子機器ケースの表面に設けるＩＣカード挿入口に対して、周囲からゴミが入り難くなるように構成すると共に、それに保護キャップを装着した場合には、その状態が維持できるようにしてある電子機器ケースを提供しようとする。【解決手段】    ＩＣカードを挿入する為にケースの表面にＩＣカード挿入口を設け、そのＩＣカード挿入口の周囲に保護壁を立設状態で周設し、その保護壁の上部位置にはＩＣカード操作用の凹部を、下方にゴミ進入防止用の立上がり壁が残る状態で形成し、上記ＩＣカードホルダにおけるＩＣカードの挿入孔の深さ寸法は、ＩＣカードを挿入した状態において、ＩＣカードの上端が、ＩＣカード挿入口の周囲に立設された壁の上端面と、上記凹部との間に位置するようにして設定してある。【選択図】    図１
2005216045.tif 000002
【特許請求の範囲】
【請求項１】
ケース内に備えさせるＩＣカードホルダに対して、ＩＣカードを挿入する為にケースの表面にＩＣカード挿入口を設けている電子機器ケースにおいて、
上記ケースの表面に設けてあるＩＣカード挿入口の周囲に保護壁を立設状態で周設し、その保護壁の上部位置にはＩＣカード操作用の凹部を、下方にゴミ進入防止用の立上がり壁が残る状態で形成し、上記ＩＣカードホルダにおけるＩＣカードの挿入孔の深さ寸法は、ＩＣカードを挿入した状態において、ＩＣカードの上端が、ＩＣカード挿入口の周囲に立設された壁の上端面と、上記凹部との間に位置するようにして設定してあることを特徴とする電子機器ケース。
【請求項２】
上記ケースの表面に設けてあるＩＣカード挿入口の周囲に立設された保護壁には、断面が逆凹状の保護キャップを着脱自在に被せ付け、その保護キャップの内部における高さ寸法は、保護キャップを上記保護壁の周囲に被せ付け、下端が上記ケースの表面に当接した状態において、保護キャップの内部における天井下面と保護壁の上端面との間に僅かな間隙が形成される寸法に形成してあることを特徴とする請求項１記載の電子機器ケース。
【発明の詳細な説明】
【技術分野】
【０００１】
本発明は、ＩＣカードを装着して用いる電子機器ケースに関する。
【背景技術】
【０００２】
従来のＩＣカードを装着して用いる電子機器ケースにおいては、例えば、特許文献１に示されている電子機器ケースとしてのノート型パソコンのケースにおいては、ケースの側壁の表面にＩＣカードを挿入する為のＩＣカード挿入口を設け、その奥深くケース内部に向けてＩＣカードホルダを備えさせている。
ＩＣカードホルダの深さは、ＩＣカードを装着した状態で、ＩＣカードの後端がケース側壁の表面より突出しないように、表面と同じ寸法位置に留めるようにするか又はそれよりも深い位置に止まるように設定している。
上記ＩＣカード挿入口周囲におけるケース側壁の表面には、ＩＣカードをプッシュアウト又はプッシュインする為、又は摘んで引き抜く為の操作用の凹状の窪みが形成してある。
【特許文献１】特開２００１−３３１２３４公報（［００２８］〜［００３１］、図１〜図４）
【発明の開示】
【発明が解決しようとする課題】
【０００３】
上記ノートパソコンにあっては、ＩＣカードホルダにＩＣカードを装着した状態では、ＩＣカードを挿入する為のＩＣカード挿入口がケースの側壁の表面に設けられており、かつ、ＩＣカードの後端がケース側壁の表面より突出しないように、表面と同じ寸法位置に留めるように構成してあるから、ＩＣカード挿入口からＩＣカードホルダ内にゴミが入る危険度は少なく、また装着されているＩＣカードに飛来物が当たる危険性も少ない。
更に上記ＩＣカード挿入口周囲におけるケース側壁の表面に、ＩＣカードをプッシュアウト又はプッシュインする為の凹状の窪みを形成することも、特許文献１の図１から明らかなようにケース側壁の厚みが薄いと比較的容易である。
【０００４】
そこで出願人会社においては、特許文献１の図に示されている上記ＩＣカードを挿入する為のＩＣカード挿入口を他の電子機器ケース、例えば、本願の図１に示されている広い平坦な上向きの操作面を備え、その操作面に対して電子機器を操作する多数の電子機器要素（スイッチ、入力端子、ディスプレイ等）が配置してあるレベルチェッカのケースの表面に対して上記複数の電子機器要素と共存させる状態で備えさせようとした。
【０００５】
しかし、上記電子機器ケースとしてのレベルチェッカケースの上向き表面にＩＣカード挿入口を設置しようとすると以下の問題点が生じる。
第１点として、上記レベルチェッカケースの上面にＩＣカード挿入口を設け、その奥深く内部に向けてＩＣカードホルダを備えさせると、レベルチェッカケースの上面のゴミが、ＩＣカード挿入口からＩＣカードホルダ内へ落ち込む。そのゴミによってＩＣカードの端子と内部の電子回路との端子間で接触不良を起こす問題点が生じる。
第２点として、ＩＣカードを装着した状態において、レベルチェッカの使用中、誤ってレベルチェッカケースの上方から物を落としたとき、その物が直接ＩＣカードの上端に当たった場合には、ＩＣカードが破損するおそれがある。
【０００６】
さらに第３点として、上記レベルチェッカケース上面の平坦な面に設けられるＩＣカード挿入口の周囲には、指でＩＣカードをプッシュアウト、プッシュイン又は、摘んで引き抜くことができる深さと広さを備えるカード操作用の凹状の窪みを周設する必要がある。
しかもその窪みの広さは、その窪みに落ち込んだ埃などのゴミを掃き出せるようになだらかに構成する為、必然ＩＣカード挿入口の周辺に広い専有面積の窪みが必要になる。
その為、ＩＣカード挿入口の設置場所は、カード挿入口の周辺に操作用の大きな表面積の窪みが設置できる場所に限定され、上記電子機器要素の近辺には設置することができず、ＩＣカード挿入口の設置場所選定の自由度が制限される問題点があった。
【０００７】
さらに第４点として、ケースの表面に設けられたＩＣカード装着部にＩＣカードを装着した状態において、ＩＣカードの上端がレベルチェッカケースの上面から突出しないように構成すると、レベルチェッカの奥行寸法（高さ寸法）は、ＩＣカードを挿入する為のカードホルダの長さ分が必要になる。
このことはレベルチェッカの奥行寸法の厚みを厚く、大型にする問題点が生じる。
以上のように、特許文献１の図に示されている上記ＩＣカードを挿入する為のＩＣカード挿入口を他の電子機器ケースに適用する場合、上記４つの問題点が生ずる場合があり、にわかに従来のＩＣカード挿入口の構成を他の電子機器ケースに適用することができなかった。
【０００８】
本件出願の目的は、ＩＣカードを着脱自在に装着して用いることのできる電子機器ケースを提供しようとするものである。
他の目的は、電子機器ケースの表面に設けるＩＣカード挿入口に対して周囲からゴミが入り難くなるようにしてあり、またケースに対して装着してあるＩＣカードを飛来物から守ることができるようにしてある電子機器ケースを提供しようとするものである。
他の目的は、保護キャップを装着することによりＩＣカードを守ることができるようにすると共に、その保護キャップの装着状態が維持できるようにしてある電子機器ケースを提供しようとするものである。
他の目的は、ＩＣカードを着脱自在に装着できるようにしてあるケースの奥行き寸法が短く形成できるようにしてある電子機器ケースを提供しようとするものである。
他の目的及び利点は図面及びそれに関連した以下の説明により容易に明らかになるであろう。
【課題を解決するための手段】
【０００９】
本願発明における電子機器ケースは、ケース内に備えさせるＩＣカードホルダに対して、ＩＣカードを挿入する為にケースの表面にＩＣカード挿入口を設けている電子機器ケースにおいて、上記ケースの表面に設けてあるＩＣカード挿入口の周囲に保護壁を立設状態で周設し、その保護壁の上部位置にはＩＣカード操作用の凹部を、下方にゴミ進入防止用の立上がり壁が残る状態で形成し、上記ＩＣカードホルダにおけるＩＣカードの挿入孔の深さ寸法は、ＩＣカードを挿入した状態において、ＩＣカードの上端が、ＩＣカード挿入口の周囲に立設された壁の上端面と、上記凹部との間に位置するようにして設定したものである。
【発明の効果】
【００１０】
本願発明は電子機器ケース、例えばレベルチェッカ用ケースのように、上向きの広い平坦な操作面を備え、その操作面に備えさせてあるレベルチェッカ操作用の電子機器要素（スイッチ、入力端子、ディスプレイ等）と共存させて、ＩＣカード挿入口16を備えさせた場合においても、
その構成は、ケース１の表面2aに設けてあるＩＣカード挿入口16の周囲に保護壁20を立設状態で周設し、その保護壁20の上部位置にはＩＣカード操作用の凹部20bを下方にゴミ進入防止用の立ち上がり壁20eが残る状態で形成してあるから、
第１点として、ケースにおける上向きの広い平坦な面2aの上にあるゴミや埃があっても、ＩＣカード挿入口16からＩＣカードホルダ18内へ落ち込むことを防いで、ＩＣカード35の端子と内部の電子回路との端子間の接触不良を防止する特長がある。
第２点として、上記構成だから、カード装着状態において、側方からの飛来物によるＩＣカード35への衝撃を防止し、電子機器ケース１内の電子機器を守り、電子機器の故障を防止する特長がある。
これらのことは、電子機器の電気的、機械的なトラブルや、事故を少なく使用できる使用上の効果がある。
【００１１】
また、本願発明は、上記のようにした構成だから、ＩＣカード挿入口16に保護キャップ23を装着する場合には、
第１点として、カード装着状態においては、保護キャップ23により、電子機器ケースの上面2aのゴミや、上方からのゴミが、ＩＣカード挿入口16からＩＣカードホルダ18内へ落ち込むことを完全に防いで、ＩＣカード35の端子と内部の電子回路との端子間の接触不良を防止する特長がある。また、保護キャップ23により、上方からの飛来物によるＩＣカード35への衝撃を防いで、電子機器ケース１内の電子機器を守る特長がある。
第２点として、前記のゴミ侵入防止効果のある保護壁20は、同時に保護キャップ23の横ずれ防止等、固定を容易にする特長がある。
【００１２】
本願発明は、上記電子機器ケース上面2aの平坦な面にＩＣカード挿入口16を備える場合であっても、上記のように、ＩＣカード挿入口16の周囲に保護壁20を立設状態で周設する構成であるので、その専有面積は極めて狭い範囲で足り、ＩＣカード挿入口16周囲の電子機器要素（スイッチ、入力端子、ディスプレイ等）の配置に悪影響を与えない利点がある。
このことは、ＩＣカード挿入口16の設置場所を選定する場合、レベルチェッカケースのような電子機器要素を多く備える電子機器ケースの上面においても、他の複数の電子機器要素に近接させて狭い隙間にでも選定することができる特長があり、ＩＣカード挿入口16の設置場所選定の自由度が制限されず、ＩＣカード挿入口16の配置設計を容易化する設計上の利点も伴う効果がある。
【００１３】
さらに、本願発明は、上記のようＩＣカード35の挿入孔17の深さ寸法を、ＩＣカード35を挿入した状態において、ＩＣカードの上端36がＩＣカード挿入口16の周囲に立設された壁20の上端面20aと、上記凹部20bとの間に位置するようにして設定してあるから、ケース表面からＩＣカードの上端36の長さ寸法に対応する寸法だけ、電子機器ケースの奥行寸法を短小化させることができる。このことは電子機器ケースの奥行寸法の厚みを薄くすることに貢献できる利点がある。
【発明を実施するための最良の形態】
【００１４】
以下本願発明の実施の形態を示す図面について説明する。図１乃至図５は、電子機器ケースの一例を示すレベルチェッカのケースに係わるものを示す。
上記電子機器のケース１において、図１に示される表面部材２における上向きの表面2aに対しては周知のように電子機器の機能を操作する為の多数の電子機器要素（スイッチ、入力端子、ディスプレイ等）が配置してある。図２の表面部材２の下側に一点鎖線で示す部分３は、表面部材２と同様に合成樹脂材、金属材料などの任意の硬質材料で形成されており、任意の成形型を用いての成形手段により別体に形成され、その後表面部材２に着脱自在に合着させるたケース本体３の存在を示しており、内部の収容空間には任意の電子機器が内蔵されている。
表面部材２の表面2aに配置されている電子機器要素は例示的に示すものであり、例えば、４、５、６、７、８、９等は順次、ディスプレイ、入力端子、出力端子、ブザー鳴動孔、充電端子、外部電源入力端子の存在を示すものである。
【００１５】
次に上記電子機器のケース１には、周知のＩＣカードホルダ１８が設けられている。このホルダ１８は、ＩＣカード３５（例えば商品名として知られているＳＤカード、メモリースティック、スマートメディアなど）の任意の知られているカードに夫々対応させ得る構成にしてある。また内部には、前記特許文献１で紹介されているような周知のプッシュインの機構等、利用されるＩＣカード３５の種類に対応して、挿入されたＩＣカード３５を保持したり、ＩＣカード３５の開放を可能にする機構が内蔵されている。
【００１６】
図２及び図４に表れている１９は回路基板を示し、周知のように絶縁材で構成され、その両面には夫々必要な電子回路が配置されている。この回路基板１９はそれに設けられた連結部19a（例えばボルト連結用の孔）を利用し、また表面部材２の任意の個所（例えば凹部19b、止着部15）を利用して表面部材２に対して一体的に連結してある。更に上記ホルダ１８も、回路基板１９に対して機械的に連結一体化させると共に、当然のことながら電気的には周知のように回路基板１９の電子回路に夫々必要な接続がしてある。
【００１７】
ケース１の本体３の内に備えさせる上記ＩＣカードホルダ１８に対しては、
ＩＣカード３５をケース１の上面から挿入する為にケース１の表面部材２における上向きの表面2aにＩＣカード35に対応させた大きさの挿入口１６を設けている。
上記ケースの表面に設けてあるＩＣカード挿入口１６の周囲には、挿入口１６の大きさに対応させた内側空間20cを有する保護壁２０を立設状態で周設している。この保護壁２０は、表面部材２と同様に合成樹脂材、金属材料などの任意の硬質材料で一体的に形成されている。しかし別材料で形成したものを後から装着したものであってもよい。
【００１８】
20bは、保護壁２０の上部位置に形成したＩＣカード操作用の凹部で、ＩＣカード35を挿入するとき或いは取り出すときに指先でもって、周知のようにホルダ１８内にあるプッシュイン、プッシュアウトの機構を作動させうるだけの深さ寸法が得られるように形成してある。ＩＣカード35の種類が異なり、他の周知の手段で挿入、取出しを行う形式の場合は、指先でもって、ＩＣカード35を摘むことが出来るような切れ目となる凹部20bが形成してあればよい。凹部20bの底面20dと、上面2aとの間L1には底面20dの下方にＩＣカード挿入口１６にゴミが進入することを防止する為の立上がり壁20eが残る状態に形成してあるとよい。
【００１９】
上記ＩＣカードホルダ１８におけるＩＣカード３５の挿入孔１７の深さ寸法は、ＩＣカード３５を挿入し、装着を終えた状態において、ＩＣカード３５の上端３６が、ＩＣカード挿入口の周囲に立設された壁２０の上端面20aと、上記凹部20bの底面20dとの間L2に位置するように設定してある。従って、ＩＣカードをホルダ１８内に挿入したり、取り出すときに指先でもって、周知のように操作をしてホルダ１８内のＩＣカード３５の抜き差し操作ができるようになっている。
【００２０】
図５に示されている保護キャップ２３は、図示のように周囲に壁があり、回りが囲まれ、内部が中空31になっている。断面形状は図５（B）のように逆凹状に形成されている。材料は弾力性ある材料が用いられており、ゴム系又は合成樹脂系の材料（例えばエラストマー）で形成されている。内側の形状は、上記ケースの表面2aに設けてあるＩＣカード挿入口１６の周囲に立設された保護壁２０に対して図３（B），図４に現れるように弾力的に着脱自在に被せ付けて用いられるようになっている。
保護キャップ２３の内面に設けられる複数本の凸条３２は、間隔を隔て設けてあり、保護壁２０の周囲に被せ付けるときにここで撓みができ、保護キャップ２３の嵌着度を高める一方で、これを軽い力で着脱させるのに役立つ。
【００２１】
保護キャップ２３の内部３１における高さ寸法L4は、図３（B）に示されているように保護キャップ２３を上記保護壁２０の周囲に被せ付け、座部２６の下端面26aが上記ケースの表面2aに当接した状態において、保護キャップ２３の内部における天井下面24aと保護壁20の上端面20aとの間に僅かな間隙３８が形成される寸法に形成してある。上記僅かな間隙３８が形成されていると、保護キャップ２３の天井部材２４に他物が落下しても、保護キャップ２３には、図示のように周囲に丈夫な壁２５が立ち上がっており、これの存在によりホルダ１８内のＩＣカード３５の上端３６に加重を加える度合いを少なくし、損傷を防止することができる。
なお２７は、ケースの上面2aに設けた取付孔２９に対して差込装着し、保護キャップ２３の紛失を防止するための紐部材で、保護壁２０と一体材で屈曲自在に細く形成してある。２８は、取付孔２９の孔径よりも太く形成した引留部材で、それには引留部材２８の外径を孔の内径にまで縮め得るように、図示のような切れ目28aが複数周設してある。３０は、図示のごとくに側方に張り出した操作用の摘み部を示す。
【００２２】
上記構成のものにあっては、表面部材２に対しては周知のように電子機器の機能を操作する為の多数の電子機器要素（スイッチ、入力端子、ディスプレイ等）が配置してあるものに対して、保護壁20で囲まれたＩＣカード挿入口１６を設ける場合、設計の段階において、ＩＣカード挿入口１６を設ける為の専有面積は僅かで足りるので設定場所が極めて簡易に設定できる利点がある。
【００２３】
さらに上記構成のものにあっては、ＩＣカードホルダにＩＣカードを挿入しての使用状態においては、ケースにおける広い平坦な面が上向き、斜め向き、横向きのいずれで用いられる場合でも、ゴミや埃がＩＣカード挿入口からＩＣカードホルダ内へ落ち込むことを、保護壁によって防止することができ、その上、保護キャップを装着することにより、電子機器ケースの上面のゴミや、上方からの落ちるゴミが、ＩＣカードホルダ内へ落ち込むことを完全に防止できる利点もある。
【００２４】
上記実施例の内、一部の実施態様は次のように理解しても良い。前記の説明においては、電子機器ケースとして例えばレベルチェッカ用ケースのように、広い平坦な操作面を備え、かつ、現場での使用においては、広い平坦な操作面に設けられるディスプレーを上にして用い、かつ、ＩＣカードの挿入方向も上下方向に向けた事例について説明した。しかしケースの前面側に超薄型の液晶ディスプレーを備え、ケースの奥行き寸法が極めて小さく構成される通信機或いは計測器、オシロスコープ等の机上において用いられる電子機器ケースにおいてはＩＣカードの挿入方向が広い操作面の前後方向となる為、本件の明細書中において上下方向を示す用語、例えば上向き、上下、立ち上げ等は、前向き、前後方向、前方に突出、等の用語に変えて理解されたい。
【図面の簡単な説明】
【００２５】
【図１】（Ａ）は、電子機器ケースの表面図。（Ｂ）は、電子機器ケースのケース本体部分を省略し、「電子機器ケースの表面に係わる部材」を示す裏面図。
【図２】（Ａ）は、電子機器ケースのケース本体部分を一点鎖線で示し、電子回路基板が付設されている「電子機器ケースの表面に係わる部材」の側面図。（Ｂ）は、図１（Ｂ）のＩＩ−ＩＩ線位置における電子機器ケースのケース本体部分及び電子回路基板を省略した断面図。
【図３】（Ａ）は、図１（Ａ）のＩＣカード挿入口付近の部分の拡大図。（Ｂ）は、ＩＩＩ−ＩＩＩ線位置の部分断面図
【図４】図１（Ａ）のＩＶ−ＩＶ線位置におけるケース上面と、電子回路基板と、ホルダーと、保護壁と、保護キャップとの関係を示す一部破断図。
【図５】（Ａ）は、保護キャップの底面図、（Ｂ）は、Ｖ−Ｖ線位置の断面図、（Ｃ）は、保護キャップの上面図。（Ｄ）は、（Ｂ）のＶＩ−ＶＩ線位置の断面図。
【符号の説明】
【００２６】
１・・・電子機器ケース、２・・・表面部材、３・・・本体部、４・・・ディスプレー、５・・・入力端子、６・・・出力端子、１５・・・止着部、１６・・・カード挿入口、１７・・・カード挿入孔、１８・・・カードホルダ、１９・・・基板、  １９ａ・・・連結部、  １９ｂ・・・凹部、２０・・・保護壁、２３・・・保護キャップ、２４・・・天井部材、２６・・・座部、２７・・・紐部材、２８・・・引留部材、２９・・・取付孔、３０・・・摘み部、３１・・・中空、３２・・・凸条３５・・・ＩＣカード、３６・・・上端、３８・・・間隙
【図１】
2005216045.tif 000003
【図２】
2005216045.tif 000004
【図３】
2005216045.tif 000005
【図４】
2005216045.tif 000006
【図５】
2005216045.tif 000007